(57)【要約】【課題】  長時間にわたり熱中症を予防でき、頭部を長時間冷却できる保護帽を提供する。【解決手段】  保護帽１は、頭部を覆う本体部１０と、本体部１０の内部に着脱自在に配設され、本体部１０を被る頭部に装着される装着体１２と、本体部１０の内部に配設され、頭部を冷却する冷却ジェル１６と、冷却ジェル１６を本体部１０の内部に配設するために冷却ジェル１６と共に本体部１０の内周面１０ｃと装着体１２との間に着脱自在に配設され、冷却ジェル１６が取り付けられている網目状の冷却ジェル取り付け用ネット１８と、  を具備する。【選択図】      図１
2010077556.tif 000002
【特許請求の範囲】
【請求項１】
頭部を覆う本体部と、
前記本体部の内部に着脱自在に配設され、前記本体部を被る前記頭部に装着される装着体と、
前記本体部の内部に配設され、前記頭部を冷却する冷却ジェルと、
前記冷却ジェルを前記本体部の内部に配設するために前記冷却ジェルと共に前記本体部の内周面と前記装着体との間に着脱自在に配設され、前記冷却ジェルが取り付けられている網目状の冷却ジェル取り付け用ネットと、
を具備することを特徴とする保護帽。
【発明の詳細な説明】
【技術分野】
【０００１】
本発明は、工事現場などの安全対策に用いられる保護帽であって、例えば熱中症等から頭部を保護するために冷却ジェルを備える保護帽に関する。
【背景技術】
【０００２】
例えば屋外の工事現場等では、作業者は外部からの衝撃から頭部を保護するためにヘルメットを被る必要がある。ヘルメットを被る作業が夏場の炎天下において長時間行われると、ヘルメット内の温度が上昇し、ヘルメット内が蒸れてしまい、頭部の体温が上昇してしまう。これによりヘルメットを被る作業者は、熱中症等に至る虞が生じる。そのため、作業者は、水などで濡らしたタオルを頭部に巻いて頭部を冷やし、その上でヘルメットを被ることで、熱中症等を予防している。
【０００３】
例えば特許文献１には、ヘルメットや帽子の内側に入れて頭部を冷やす頭部冷却用の冷却材と、この冷却材の収容部を有するヘルメットと帽子が開示されている。
【０００４】
また例えば特許文献２には、ヘルメットの保護機能を何ら損なうことなくヘルメットを被った作業者の頭部を効果的に冷やすことができるヘルメット用冷却帽が開示されている。
【０００５】
また例えば特許文献３には、安全ヘルメットの着用を、義務付けられた場所で、暑さに依る意識の衰えを冷却具装着に依り防ぎ、頭脳を冷静に保つための安全ヘルメット冷却具が開示されている。
【０００６】
また例えば特許文献４には、内部を冷却することにより、夏場の暑い場所でも着用者のコンディションを最適に維持することができるヘルメットが開示されている。
【特許文献１】特開２００５−２７３１１９号公報
【特許文献２】特開平１０−２９８８１５号公報
【特許文献３】特開平１０−１３０９３３号公報
【特許文献４】登録実用新案第３０４８９０３号公報
【発明の開示】
【発明が解決しようとする課題】
【０００７】
しかしながら、夏場の炎天下の屋外の工事現場等において、作業者は水に濡れたタオルを頭部に巻き、ヘルメットを被ると、タオルは直ぐに乾いてしまう。そのため長時間にわたって熱中症を予防することは困難を極め、熱中症を一時的にしか予防できない虞が生じる。また夏場の炎天下では、タオルは直ぐに乾いてしまうため、頭部を冷却する効果も長時間維持できない虞が生じる。
【０００８】
そのため本発明は、上記事情に鑑み、長時間にわたり熱中症を予防でき、頭部を長時間冷却できる保護帽を提供することを目的とする。
【課題を解決するための手段】
【０００９】
本発明は目的を達成するために、頭部を覆う本体部と、前記本体部の内部に着脱自在に配設され、前記本体部を被る前記頭部に装着される装着体と、前記本体部の内部に配設され、前記頭部を冷却する冷却ジェルと、前記冷却ジェルを前記本体部の内部に配設するために前記冷却ジェルと共に前記本体部の内周面と前記装着体との間に着脱自在に配設され、前記冷却ジェルが取り付けられている網目状の冷却ジェル取り付け用ネットと、を具備することを特徴とする保護帽を提供する。
【発明の効果】
【００１０】
本発明によれば、長時間にわたり熱中症を予防でき、頭部を長時間冷却できる保護帽を提供することができる。
【発明を実施するための最良の形態】
【００１１】
以下、図面を参照して本発明の実施形態について詳細に説明する。図１は、本実施形態における保護帽の概略構成図である。図２は、冷却ジェルが取り付けられているネットを広げた際の図である。
【００１２】
保護帽１は、例えば工事現場で働く作業者の図示しない頭部を例えば外部からの衝撃や熱中症等から保護する保護用のヘルメットである。
【００１３】
保護帽１は、図１に示すように、頭部を覆う本体部１０と、本体部１０の内部に着脱自在に配設され、本体部１０を被る（本体部１０によって覆われる）頭部に装着される網目状の装着体１２と、本体部１０の頂部１０ａから本体部１０の前方１０ｂにかけて配設され、頭部に加わる外部からの衝撃から頭部を保護するために衝撃を吸収する衝撃吸収ライナー１４と、本体部１０の内部に配設され、熱中症等から頭部を保護するために頭部を冷却する冷却ジェル１６と、冷却ジェル１６を本体部１０の内部に配設するために冷却ジェル１６と共に本体部１０の内周面１０ｃと装着体１２との間に着脱自在に配設され、冷却ジェル１６が取り付けられている網目状の冷却ジェル取り付け用ネット（以下、ネット）１８と、を有している。
【００１４】
装着体１２は、頂部１２ａにて内周面１０ｃに対して着脱自在である。
【００１５】
衝撃吸収ライナー１４は、主に頭部の前方や上方からの衝撃を吸収し、頭部を保護する。衝撃吸収ライナー１４は、保護帽１（本体部１０）の例えば樹脂製の外周面でもある。
【００１６】
冷却ジェル１６は、頭部の頭頂部と額部と側面と後頭部とを装着体１２を介して冷却する。冷却ジェル１６は、頭部の頭頂部を冷却する冷却ジェル１６０と、額部と側面と後頭部とを冷却する冷却ジェル１６２とにより構成されている。冷却ジェル１６０と冷却ジェル１６２とは、図２に示すようにネット１８によって取り付けられている。
【００１７】
冷却ジェル１６０は楕円形状を有し、冷却ジェル１６２は中空の楕円形状を有している。つまり冷却ジェル１６２は、頭部の周縁である額部と側面と後頭部とを冷却するために、リング形状を有している。
【００１８】
冷却ジェル１６は、ネット１８に着脱自在に取り付けられるため、ネット１８に固定されている。ネット１８が内周面１０ｃと装着体１２との間に配設されると、冷却ジェル１６はネット１８に取り付けられているためネット１８と共に内周面１０ｃと装着体１２との間に配設される。このとき冷却ジェル１６は、内周面１０ｃと装着体１２との間に固定される。
【００１９】
ネット１８は、内周面１０ｃと装着体１２とに挟まれて配設されることとなる。またネット１８は、内周面１０ｃと装着体１２との間に配設された際、装着体１２を覆うように配設される。ネット１８は、通気性を確保するため、冷却ジェル１６をネット１８に着脱自在に取り付けるため、及び内周面１０ｃと装着体１２との間に容易に配設されるために、網目形状を有している。
【００２０】
ネット１８には、冷却ジェル１６０，１６２が例えば縫い付けによって取り付けられている。ネット１８は、図２に示すように冷却ジェル１６０と冷却ジェル１６２とを連結するために冷却ジェル１６０の周縁１６０ａと冷却ジェル１６２の内周縁１６２ａとの間に取り付けられている。またネット１８は、装着体１２を覆うために、冷却ジェル１６２の外周縁１６２ｂにも取り付けられている。
【００２１】
なおネット１８は、内周面１０ｃと装着体１２との間に配設されているが、装着体１２を覆うことができ、冷却ジェル１６が頭部を冷却できれば、これに限定する必要はない。
【００２２】
またネット１８は、冷却ジェル１６０，１６２と縫い付けによって取り付いているがこれに限定する必要はなく、冷却ジェル１６０，１６２と例えば面ファスナー等によって取り付けられていても良い。
【００２３】
次に本実施形態におけるネット１８の保護帽１への配設方法について説明する。  
装着体１２が取り外されている状態の本体部１０において、内周面１０ｃには、冷却ジェル１６が取り付けられているネット１８が載置される。このときネット１８は、衝撃吸収ライナー１４の頂部に載置されると好適である。
【００２４】
つぎにネット１８の内周面側には、装着体１２が取り付けられる。このとき装着体１２は、頂部１２ａにて内周面１０ｃに取り付けられる。これによりネット１８は、内周面１０ｃと装着体１２との間に配設され、固定される。またこのときネット１８は、装着体１２を覆うこととなる。同時に冷却ジェル１６も内周面１０ｃと装着体１２との間に配設され、固定される。
【００２５】
これにより例えば工事現場で作業を行う作業者が保護帽１を被った時に、頭部には装着体１２が装着され、頭部の頂部には冷却ジェル１６０が装着体１２を通じて当接し、額部と側面と後頭部とには装着体１２を通じて冷却ジェル１６２が当接する。そして冷却ジェル１６は、頭部全体を長時間冷却する。よって保護帽１内の温度上昇が防止され、保護帽１内の蒸れが防止され、頭部の体温の上昇が防止され、熱中症が長時間にわたり予防される。
【００２６】
このように本実施形態では、冷却ジェル１６によって長時間にわたり熱中症を予防することができ、頭部を長時間冷却することができる。
【００２７】
また本実施形態では、冷却ジェル１６によって頭部を冷却できるために、例えば夏場の炎天下で保護帽１を被って作業をしても、快適に作業を行うことができる。また本実施形態では、冷却ジェル１６によって保護帽１内の温度上昇を防止でき、保護帽１内の蒸れを防止でき、頭部の体温の上昇を防止することができる。
【００２８】
また本実施形態では、冷却ジェル１６を取り付けられたネット１８を、内周面１０ｃと装着体１２との間に挟みこんで配設するのみでよい。そのため本実施形態では、冷却ジェル１６とネット１８とを本体部１０に対して容易に着脱自在にすることができる。
【００２９】
また本実施形態では、内周面１０ｃと装着体１２との間に挟みこんで配設するのみでよく、ネット１８を本体部１０に取り付けるための取り付け部材を不要としている。よって本実施形態では、取り付け部材を不要としているため、冷却ジェル１６を取り付けても保護帽１を軽量化することができる。
【００３０】
また本実施形態では、冷却ジェル１６０，１６２によって頭部全体を冷却できるために、より一層の冷却効果を得ることができる。
【００３１】
また本実施形態では、冷却ジェル１６を頭部に直接当接させず、装着体１２を通じて冷却している。そのため冷却ジェル１６が頭部などに直接当接すると、冷却ジェル１６は、作業者が保護帽１を被った当初において、作業者に対して違和感を与える虞が生じる。しかしながら本実施形態では、冷却ジェル１６は、装着体１２を通じて頭部を冷却するために、作業者に違和感を与えることなく頭部を冷却することができ、保護帽１を快適に使用させることができる。
【００３２】
また本実施形態では、ネット１８を網目状としているために、通気性を確保でき、冷却ジェル１６をネット１８に着脱自在に取り付けることができ、ネット１８を内周面１０ｃと装着体１２との間に容易に配設することができる。
【００３３】
また本実施形態では、装着体１２を網目状とすることで、冷却ジェル１６による冷却効果を頭部に無駄なく伝えることができる。
【００３４】
本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。
【図面の簡単な説明】
【００３５】
【図１】図１は、本実施形態における保護帽の概略構成図である。
【図２】図２は、冷却ジェルが取り付けられているネットを広げた際の図である。
【符号の説明】
【００３６】
１…保護帽、１０…本体部、１０ｃ…内周面、１２…装着体、１２ａ…頂部、１４…衝撃吸収ライナー、１６，１６０，１６２…冷却ジェル、１８…冷却ジェル取り付け用ネット、１６０ａ…周縁、１６２ａ…内周縁、１６２ｂ…外周縁。
【図１】
2010077556.tif 000003
【図２】
2010077556.tif 000004